(57)【要約】【課題】  一般ユーザが携帯端末装置に格納されている音声発着信又はメール送受信の履歴情報を削除したとしても、一般ユーザ以外の特定者は、その携帯端末装置を使用した全ての音声発着信又はメール送受信の履歴情報を読み出すことのできる携帯端末装置を得る。【解決手段】  外部装置と通信する送受信部と、この送受信部を介して通信した履歴情報を記憶する記憶部と、この記憶部に記憶した上記履歴情報を表示する表示部と、外部からの指示を入力する入力部と、この入力部から入力された表示指示に応じて上記記憶部に記憶した履歴情報を読み出して上記表示部に表示する制御部とを備え、制御部は、上記入力部から入力された削除指示に応じて上記記憶部に記憶した履歴情報の一部を読み出し不可とし、上記入力部からの特定指示の入力によって上記読み出し不可となった履歴情報を読み出すようにした。【選択図】          図２
2008053942.tif 000002
【特許請求の範囲】
【請求項１】
外部装置と通信する送受信部と、
この送受信部を介して通信した履歴情報を記憶する記憶部と、
この記憶部に記憶した上記履歴情報を表示する表示部と、
外部からの指示を入力する入力部と、
この入力部から入力された表示指示に応じて上記記憶部に記憶した履歴情報を読み出して上記表示部に表示する制御部とを備え、
制御部は、上記入力部から入力された削除指示に応じて上記記憶部に記憶した履歴情報の一部を読み出し不可とし、上記入力部からの特定指示の入力によって上記読み出し不可となった履歴情報を読み出す
ことを特徴とする携帯端末装置。
【請求項２】
送受信部は音声発信、音声着信、メール送信又はメール受信する機能を有し、
履歴情報は、音声発信履歴、音声着信履歴、メール送信履歴又はメール受信履歴の情報であることを特徴とする請求項１記載の携帯端末装置。
【請求項３】
記憶部は読み出し可能領域と読み出し不可領域とを有し、
制御部は、履歴情報を上記読み出し可能領域と上記読み出し不可領域にそれぞれ記憶し、入力部から入力された削除指示に応じて上記記憶部の読み出し可能領域に記憶した履歴情報を削除することを特徴とする請求項１記載の携帯端末装置。
【請求項４】
制御部は、記憶部の読み出し不可領域に履歴情報を記憶するとき、暗号化技術を用いて記憶することを特徴とする請求項３記載の携帯端末装置。
【発明の詳細な説明】
【技術分野】
【０００１】
この発明は、音声発着信又はメール送受信することの可能な携帯端末装置に関し、特に、音声発着信又はメール送受信の履歴情報を格納することの可能な携帯端末装置に関する。
【背景技術】
【０００２】
従来技術として、着信履歴保存機能を有する電話装置において、特定の相手先からの着信については、あらかじめ設定されたユーザしかその着信記録を削除できないようにした電話装置がある（例えば、特許文献１参照）。
【０００３】
【特許文献１】特開２００２−０２７０８８号公報（第２−４頁、図６）
【発明の開示】
【発明が解決しようとする課題】
【０００４】
従来技術においては、電話装置のユーザであれば着信履歴を容易に削除できるので、電話装置を使用した全ての音声発着信又はメール送受信の履歴情報を解析しようとすると多大な時間を費やす必要があるという問題点があった。
【０００５】
この発明は、上記のような問題点を解消するためになされたもので、一般ユーザが携帯端末装置に格納されている音声発着信又はメール送受信の履歴情報を削除したとしても、一般ユーザ以外の特定者は、その携帯端末装置を使用した全ての音声発着信又はメール送受信の履歴情報を読み出すことのできる携帯端末装置を得ることを目的とするものである。
【課題を解決するための手段】
【０００６】
この発明に係る携帯端末装置は、外部装置と通信する送受信部と、この送受信部を介して通信した履歴情報を記憶する記憶部と、この記憶部に記憶した上記履歴情報を表示する表示部と、外部からの指示を入力する入力部と、この入力部から入力された表示指示に応じて上記記憶部に記憶した履歴情報を読み出して上記表示部に表示する制御部とを備え、制御部は、上記入力部から入力された削除指示に応じて上記記憶部に記憶した履歴情報の一部を読み出し不可とし、上記入力部からの特定指示の入力によって上記読み出し不可となった履歴情報を読み出すものである。
【発明の効果】
【０００７】
この発明に係る携帯端末装置は、入力部から入力された削除指示に応じて記憶部に記憶した履歴情報の一部を読み出し不可とし、上記入力部からの特定指示の入力によって上記読み出し不可となった履歴情報を読み出すようにしたので、一般ユーザが履歴情報を削除したとしても、一般ユーザ以外の特定者がその携帯端末装置を使用した全ての音声発着信又はメール送受信の履歴情報を読み出すことのできる効果がある。
【発明を実施するための最良の形態】
【０００８】
実施の形態１．
図１は、実施の形態１に係る携帯端末装置としての携帯電話機のブロック構成図である。図において、外部装置と通信する送受信部１は、送受信用アンテナ２を介して無線通信網からの着信を検知し、受信した着信信号を制御部３へ出力する。制御部３は、携帯電話機全体の制御を司るものであり、メモリ（図示せず）に記憶されているプログラムにしたがって動作する。
【０００９】
次に、実施の形態１に係る携帯電話機において、音声着信又はメールを受信したときの動作を図１、及び図２のフローチャートを用いて説明する。
【００１０】
まず、制御部３は、送受信部１を介して着信信号を受信すると、メモリに格納されている着信音データを再生し、スピーカ（図示せず）から出力するとともに、着信信号が音声着信であるかメール受信であるかを判断する（ＳＴ２−１）。
音声着信であると判断されると、一般ユーザがアクセス可能な記憶部の読み出し可能領域としての発着信履歴記憶部５へ着信番号、着信日時及び通話時間などの音声着信履歴情報を格納し（ＳＴ２−２）し、ＳＴ２−４へ移行する。
メール受信であると判断されると、制御部３は、一般ユーザがアクセス可能な記憶部の読み出し可能領域としてのメール送受信履歴記憶部６へ着信メールアドレス、メール本文及びメール受信日時などのメール受信履歴情報を格納し（ＳＴ２−３）し、ＳＴ２−４へ移行する。
ＳＴ２−４では、制御部３は、発着信履歴記憶部５又はメール送受信履歴記憶部６に格納した履歴情報の暗号化を高度暗号化処理部７に指示し（ＳＴ２−４）、暗号化された履歴情報を一般ユーザがアクセス不可能な記憶部の読み出し不可領域としての履歴情報記憶部８に格納する（ＳＴ２−５）。
そして、一般ユーザが入力部としてのキー入力部４を操作して着信に応答すると、通話相手の端末と回線を接続して通話が可能になる。
【００１１】
また、ＳＴ２−５にて制御部３は、暗号化された履歴情報を履歴情報記憶部８に格納するときに、履歴情報記憶部８の記憶容量が規定値を超えると判断した場合には、履歴情報記憶部８に記憶している履歴情報のうち最も古い履歴情報から順に削除して最新の履歴情報を格納する。
【００１２】
次に、実施の形態１に係る携帯電話機において、音声発信又はメールを送信したときの動作を図１、及び図３のフローチャートを用いて説明する。
【００１３】
まず、ユーザがキー入力部４から音声発信又はメール送信を指示すると、制御部３は、音声発信であるかメール送信であるかを判断する（ＳＴ３−１）。
音声発信であると判断されると、発着信履歴記憶部５へ発信番号、発信日時及び通話時間などの音声発信履歴情報を格納し（ＳＴ３−２）し、送受信部１及び送受信用アンテナ２を介して発信信号を送信して、ＳＴ３−４へ移行する。
メール送信であると判断されると、制御部３は、メール送受信履歴記憶部６へ送信メールアドレス、メール本文及びメール送信日時などのメール送信履歴情報を格納し（ＳＴ３−３）し、送受信部１及び送受信用アンテナ２を介してメール送信信号を送信して、ＳＴ３−４へ移行する。
ＳＴ３−４では、制御部３は、発着信履歴記憶部５又はメール送受信履歴記憶部６に格納した履歴情報の暗号化を高度暗号化処理部７に指示し（ＳＴ３−４）、暗号化された履歴情報を履歴情報記憶部８に格納して（ＳＴ３−５）、処理を終了する。
【００１４】
また、ＳＴ３−５にて制御部３は、暗号化された履歴情報を履歴情報記憶部８に記憶するときに、履歴情報記憶部８の記憶容量が規定値を超えると判断した場合には、履歴情報記憶部８に記憶している履歴情報のうち最も古い履歴情報から順に削除して最新の履歴情報を格納する。
【００１５】
一般ユーザがキー入力部４から履歴情報の表示を指示すると、制御部３は、発着信履歴記憶部５又はメール送受信履歴記憶部６に記憶した履歴情報を読み出して表示部（図示せず）に表示する。
【００１６】
次に、実施の形態１に係る携帯電話機に格納した音声発着信又はメール送受信の履歴情報をユーザ操作により削除するときの動作を図１、及び図４のフローチャートを用いて説明する。
【００１７】
ユーザがキー入力部４を操作して携帯電話機に格納した音声発着信又はメール送受信の履歴情報を削除する操作を指示すると、制御部３は、削除を指示されたのが音声発着信の履歴情報であるか否かを判断する（ＳＴ４−１）。
制御部３は、削除を指示されたのが音声発着信であると判断すると、発着信履歴記憶部５に格納している履歴情報を削除し（ＳＴ４−２）、削除を指示されたのが音声発着信であると判断すると、メール送受信履歴記憶部６に格納している履歴情報を削除する（ＳＴ４−３）。このとき、履歴記憶部８に格納した履歴情報は削除しない。
【００１８】
次に、実施の形態１に係る携帯電話機に格納した音声発着信又はメール送受信の履歴情報を一般ユーザ以外の特定者により読み出すときの動作を図１、及び図５のフローチャートを用いて説明する。
【００１９】
特定者が携帯電話機の入力部としての外部機器入出力部９へＰＣを接続し、ＰＣから携帯電話機に対して履歴情報を読み出すコマンドを入力すると、制御部３は、履歴記憶部８に格納されている履歴情報を読み出し、ＰＣへ転送する（ＳＴ５−１）。
特定者はＰＣを操作して携帯電話から読み出した履歴情報を復号化して（ＳＴ５−２）、ＰＣのディスプレイに表示する。
【００２０】
このように、履歴記憶部８に格納されている履歴情報は一般ユーザが削除することができないようにしたので、一般ユーザが削除して表示できなくなった履歴情報も、履歴情報を読み出すコマンドを知っている特定者であれば読み出すことができる。
また、携帯電話機からＰＣへは暗号化された履歴情報が転送されるので、例え履歴情報を読み出すコマンドが漏洩したとしても、容易に履歴情報を表示可能な状態にすることができないため、携帯電話機のユーザのセキュリティーを確保することも可能である。
【００２１】
上記実施の形態１では、発着信履歴記憶部５及びメール送受信履歴記憶部６とは異なる領域として履歴記憶部８を設けたが、各々の履歴情報のうち一般ユーザが削除した履歴情報に削除マークをつけて、削除マークをつけた履歴情報については一般ユーザが一切読み出せないように制御するようにしてもよい。
【図面の簡単な説明】
【００２２】
【図１】実施の形態１に係る携帯電話機のブロック構成図である。
【図２】実施の形態１に係る携帯電話機において、音声着信又はメールを受信したときの動作を説明するフローチャートである。
【図３】実施の形態１に係る携帯電話機において、音声発信又はメールを送信したときの動作を説明するフローチャートである。
【図４】実施の形態１に係る携帯電話機に格納した音声発着信又はメール送受信の履歴情報をユーザ操作により削除するときの動作を説明するフローチャートである。
【図５】実施の形態１に係る携帯電話機に格納した音声発着信又はメール送受信の履歴情報を一般ユーザ以外の特定者により読み出すときの動作を説明するフローチャートである。
【符号の説明】
【００２３】
１  送受信部
２  送受信用アンテナ
３  制御部
４  キー入力部
５  発信履歴記憶部
６  メール送受信履歴記憶部
７  高度暗号化処理部
８  履歴記憶部
９  外部機器入出力部
【図１】
2008053942.tif 000003
【図２】
2008053942.tif 000004
【図３】
2008053942.tif 000005
【図４】
2008053942.tif 000006
【図５】
2008053942.tif 000007